(57)【要約】【課題】歯科治療において、治療開始前は勿論のこと、治療中においても、患者の生理的状態例えば血圧や脈拍数等を計測して患者の緊張状態を検知（モニタリング）し、緊張状態が異常であると判断された時に、患者に何らかの刺激を与えて、患者をリラックスさせるようにする。【解決手段】歯科用治療椅子には、患者の生理的な状態、例えば、血圧や脈拍数を計測するモニタリング手段（指カフ１７）を有し、更に、患者に刺激を与える刺激付与手段例えばエアバッグを有する。患者の生理的状態（緊張状態）が所定値以上の時に、前記刺激付与手段を駆動して患者に刺激を与え、患者をリラックスさせる。【選択図】図１
2005342127.tif 000002
【特許請求の範囲】
【請求項１】
歯科用治療椅子において、患者の生理的な状態を繰り返し計測するモニタリング手段と、患者に刺激を与える刺激付与手段とを有し、患者の生理的状態が所定値以上の時に、前記刺激付与手段を駆動して患者に刺激を与えるようにしたことを特徴とする歯科用治療椅子。
【請求項２】
前記モニタリング手段は、患者の血圧及び／又は脈拍数を計測するものであることを特徴とする請求項１に記載の歯科用治療椅子。
【請求項３】
前記モニタリング手段は、患者が歯科用治療椅子に着座した治療開始前の生理状態値と、当該患者の標準生理状態値を比較し、その差が所定値以上になった時に前記刺激付与手段を駆動するようにしたことを特徴とする請求項１又は２に記載の歯科用治療椅子。
【請求項４】
前記モニタリング手段は、所定回数前の計測値を基準値とし、該基準値からの差が所定値以上になった時に前記刺激付与手段を駆動するようにしたことを特徴とする請求項１又は２に記載の歯科用治療椅子。
【発明の詳細な説明】
【技術分野】
【０００１】
本発明は、歯科用治療椅子、より詳細には、歯科治療に当り、患者が異常に緊張し或いは興奮等して生理的又は心理的に異常になっている場合に、患者に刺激を与えて患者の緊張を緩めて、リラックスした状態で歯科治療を受けることができるようにした歯科用治療椅子に関する。
【背景技術】
【０００２】
歯科治療に当り、例えば、出血を伴う抜歯等を行う場合、抜歯に先立って患者の血圧、脈拍数等を測定し、患者の現在の生理状態を確認することが行われており、そのために、歯科用治療椅子に血圧計や脈拍計を取り付けたものも提案されている（例えば、特許文献１参照）。
【０００３】
上述のように、歯科治療においては、歯科治療に先立って、患者の血圧や脈拍数等を計測することが行われているが、これは、患者が歯科治療椅子に座った後、歯科治療に先立って、基本的には、唯一回行われるものであり、その後の歯科治療中における計測は行われていない。
【特許文献１】特開平２０００−１５２９６６号公報
【発明の開示】
【発明が解決しようとする課題】
【０００４】
歯科治療に先立って、患者の血圧や脈拍数を予め計測して患者の生理的状態を知っておくことは重要であるが、従来のように、治療前に計測しただけでは、その計測値が平常値なのか異常値なのか判別ができず、特に、歯科治療においては、治療開始前から異常に緊張している患者もいれば、治療中に緊張する患者もおり、更には、治療中に徐々に落ち着いてくる患者もいる等、種々雑多である。
【０００５】
本発明は、上述のごとき実情に鑑みてなされたもので、特に、歯科治療において、治療開始前は勿論のこと、治療中においても、患者の生理的状態例えば血圧や脈拍数等を繰り返し計測して患者の緊張状態を検知（モニタリング）し、緊張状態が異常であると判断された時に、患者に何らかの刺激を与えて、例えば、治療椅子を振動（バイブレート）させたり、傾斜（チルト）させたり、或いは、治療椅子のクッション（エアバッグの空気圧）を変える等して患者をリラックスさせるようにすることを目的としてなされたものである。
【課題を解決するための手段】
【０００６】
本発明は、上記目的を達成するために、請求項１の発明は、歯科用治療椅子において、患者の生理的な状態を繰り返し計測するモニタリング手段と、患者に刺激を与える刺激付与手段とを有し、患者の生理的状態が所定値以上の時に、前記刺激付与手段を駆動して患者に刺激を与えるようにしたことを特徴としたものである。
【０００７】
請求項２の発明は、請求項１の発明において、患者の血圧及び／又は脈拍数を計測するものであることを特徴としたものである。
【０００８】
請求項３の発明は、請求項１又は２の発明において、患者が歯科用治療椅子に着座した治療開始前の生理状態値と、当該患者の標準生理状態値を比較し、その差が所定値以上になった時に前記刺激付与手段を駆動するようにしたことを特徴としたものである。
【０００９】
請求項４の発明は、請求項１又は２の発明において、所定回数前の計測値を基準値とし、該基準値からの差が所定値以上になった時に前記刺激付与手段を駆動するようにしたことを特徴としたものである。
【発明の効果】
【００１０】
歯科治療において、治療開始前は勿論のこと、治療中においても、患者の生理的状態例えば血圧や脈拍数等を繰り返し計測して患者の緊張状態を検知（モニタリング）し、緊張状態が異常であると判断された時に、患者に何らかの刺激を与えて、例えば、治療椅子を振動（バイブレート）させたり、傾斜（チルト）させたり、或いは、治療椅子のクッション（エアバッグの空気圧）を変える等したので、患者の緊張を解いて、患者をリラックスさせた状態で歯科治療を行うことができる。
【発明を実施するための最良の形態】
【００１１】
図１は、本発明による歯科用治療椅子の一実施例を説明するための図で、該治療椅子は、周知のように、安頭台１１、バックレスト１２、コンターシート１３、レッグレスト１４、フットレスト（ステップ）１５、肘受け１６等からなり、患者は、周知のように、治療椅子に座って、歯科治療を受ける。
【００１２】
治療椅子の形態は、図示例のものに限定されるものではなく、従来より周知の任意所望の形態のものを使用することができるが、本発明においては、肘受け１６を具備し、該肘受け１６の先端部には、周知の指カフ（ｃｕｆｆ；血圧計）１７が取り付けられている。この指カフ１７には、Ａ’にて拡大して示すように、患者の指が差し込まれ、周知のようにして（例えば、前記特開２０００−１５２９６６号公報に記載のようにして）、患者の血圧や脈拍数が計測される。
【００１３】
上記血圧や脈拍数の計測は、患者が歯科用治療椅子に座った後、治療開始前は勿論のこと、治療中にも、所定時間毎に繰り返し計測される。血圧や脈拍数は個人差はあるものの、年令、性別等によって大凡の標準値は分っているので、そのデータ（テーブル）が図示しないメモリに予め記憶されており、治療開始前に計測した血圧値や脈拍数はそのテーブル上の標準値と比較され、その値が所定値以上離れている場合に、患者が異常に緊張しているものと判断する。本発明においては、その後、歯科治療中も繰り返し計測を行うが、その計測値は、前記治療開始前に計測した計測値、或いは、所望回数前に計測した計測値と比較され、その差が所定値以上離れた時に、患者の緊張状態が異常であるものと判断する。
【００１４】
本発明は、上述のごとくして、歯科治療開始前の、及び、歯科治療中の患者の異常緊張状態を計測するものであるが、更に、計測した結果、患者が異常に緊張しているものと判断された場合は、治療椅子を振動（バイブレート）させたり、傾斜動したり（チルトを繰り返す）、治療椅子内に設けたエアバッグの空気圧を変えたりする等して、患者に刺激を与えて、患者をリラックスさせ、患者の緊張感を解くようにしている。
【００１５】
図２は、歯科治療椅子のバックレスト、コンターシート等の内部にエアバッグ２１，２２，２３等を設け、上述のごとくして、患者の異常緊張状態が検知された時に、これらエアバッグに供給する空気圧を変えて、患者に刺激を与え、患者をリラックスさせ、異常緊張を解くようにしたものである。なお、この患者に刺激を与える手段は、図示のエアバッグ手段に限らず、前述のように、バックレスト、コンターシート等治療椅子の任意の場所を振動（バイブレート）させたり、全体を傾斜動（チルト）させるようにする等、任意所望の手段を用いることができる。
【図面の簡単な説明】
【００１６】
【図１】本発明による歯科用治療椅子の一実施例を説明するための、患者が治療椅子に座っている時の全体構成を示す図である。
【図２】本発明の実施に用いる歯科用治療椅子の一例（エアバッグを用いて患者に刺激を与えるようにした例）を示す図である。
【符号の説明】
【００１７】
１１…安頭台、１２…バックレスト、１３…コンターシート、１４…レッグレスト、１５…フットレスト、１６…肘受け、１７…指カフ（血圧計）、２１，２２，２３…エアバッグ。
【図１】
2005342127.tif 000003
【図２】
2005342127.tif 000004